(57)【要約】【課題】開封すると、容器口部に開封履歴明示バンドが残るが、開封履歴明示バンドが外に膨れて開封されたことが容易に確認でき、再封するときは、開封履歴明示バンドが容器側に残っているので、そのままキャップ本体を容器口部につけることができ、また、開封履歴明示バンドを外す場合は、容易に外すことができるキャップを提供する。【解決手段】螺子係合により容器口部に固定されるキャップ本体と、キャップ本体のスカート部下端に複数のブリッジを介し接続された開封履歴明示バンドとからなるキャップにおいて、開封履歴明示バンドには、その上端から下端に至るスリットが設けられ、スリットの近傍の開封履歴明示バンドの両上端に、ブリッジが設けられ、開封履歴明示バンドの内面には内方に突出したリブが、容器口部に設けられ外方に盛り上がったロックリングにあたって、ブリッジが切断されるように設けられていることを特徴とする。【選択図】図１
2013203465.tif 000002
【特許請求の範囲】
【請求項１】
螺子係合により容器口部に固定されるキャップ本体と、該キャップ本体のスカート部下端に複数のブリッジを介し接続された開封履歴明示バンドとからなるキャップにおいて、前記開封履歴明示バンドには、その上端から下端に至るスリットが設けられ、該スリットの近傍の前記開封履歴明示バンドの両上端に、それぞれ、前記ブリッジが設けられ、前記キャップ本体を廻して開栓するときに、容器口部に設けられ外方に盛り上がったロックリングにあたって、前記ブリッジが切断され、前記開封履歴明示バンドが前記キャップ本体からはずれるように、前記開封履歴明示バンドの内面には内方に突出したリブが一定間隔毎に設けられていることを特徴とするキャップ。
【請求項２】
前記リブの内方に突出する部分の幅が、前記スリットの近傍のリブに比べて、該スリットと対向する位置に向かって大きくなっていることを特徴とする請求項１に記載のキャップ。
【発明の詳細な説明】
【技術分野】
【０００１】
本発明は、キャップに関する。更に詳細には、容器口部に螺合して被冠するキャップ本体と、キャップ本体のスカート部下端に接続して設けられた開封履歴明示バンドからなるキャップに関する。
【背景技術】
【０００２】
今日では、容器内容物の品質保証やいたずら防止などのため、開封履歴を明示する開封履歴明示バンド（タンパーエビデンドバンドとも、呼ばれる。）を備えたキャップが広く使用されている。そして、この種のキャップは、開封したときには、キャップ本体と開封履歴明示バンドとの連結が切断され、これにより、キャップが開封された事実を明示するようになっている。
【０００３】
このようなキャップは、例えば、螺子係合により容器口部に固定されるキャップ本体と、キャップ本体のスカート部下端に、破断可能なブリッジ（弱化部）を介して接続された開封履歴明示バンドとからなり、キャップ本体を開栓方向に旋回すると、開封履歴明示バンドとキャップ本体とを繋いでいるブリッジが破断し、開封履歴明示バンドが切り離され、キャップ本体のみが容器口部から取り外されるというものである。即ち、開封履歴明示バンドが切り離されている事実により、キャップが開封されたという事実を認識できるのである。
【０００４】
しかしながら、上述した従来の開封履歴明示バンド付キャップは、いずれのキャップも、開封したのちに、開封履歴明示バンドがキャップ本体と完全に切り離されて容器側に残り、再封すると、開封履歴明示バンドがキャップ本体と切り離されているのがわかりにくく、開封されていないと誤認される恐れがあった。
【０００５】
そこで、キャップ本体の周壁下端の一箇所に四角い開封認知用舌状片を垂設し、開封認知用舌状片の右側の下端に、強化脆弱ブリッジを介して、開封認知用舌状片の左側に間隙をもって近傍位置に至る開封履歴明示バンド（不正開封防止封緘リング）を接続し、且つ、開封履歴明示バンドの上面の周方向の複数箇所に、強化脆弱ブリッジより弱い脆弱ブリッジを介してキャップ本体のスカート部の下端に接続させ、開封したときに、開封履歴明示バンドがキャップ本体に部分的に接続したままになるキャップが提案されている（特許文献１）。
【０００６】
また、開封したときに、開封履歴明示バンドがキャップ本体に部分的に接続したままになる、同様なキャップが他にも報告されている（特許文献２）。
【０００７】
このようなキャップの場合は、開封すると脆弱ブリッジが切断されて、強化脆弱ブリッジによりキャップ本体に開封履歴明示バンドが付いたままであるので、開封履歴明示バンドが広がって開封したことがわかりやすいが、再封すると開封履歴明示バンドがキャップ本体に繋がっていて、再封しにくく、開封履歴明示バンドを外すためには、強化脆弱ブリッジを切断しなければならず、手間が掛かるのと同時に、ごみの数が増えてしまう。
【０００８】
公知文献を以下に示す。
【先行技術文献】
【特許文献】
【０００９】
【特許文献１】特開２００６−１３１２３２号公報
【特許文献２】特開２００５−３２４８０６号公報
【発明の概要】
【発明が解決しようとする課題】
【００１０】
本発明は上記した事情に鑑みてなされたもので、開封すると、容器口部に開封履歴明示バンドが残るが、開封履歴明示バンドが外に膨れて開封されたことが容易に確認でき、再封するときは、開封履歴明示バンドが容器側に残っているので、そのままキャップ本体を容器口部につけることができ、また、開封履歴明示バンドを外す場合は、スリットにより切れているので容易に外すことができるキャップを提供することを課題としている。
【課題を解決するための手段】
【００１１】
本発明は係る課題に鑑みなされたものであり、請求項１の発明は、螺子係合により容器口部に固定されるキャップ本体と、該キャップ本体のスカート部下端に複数のブリッジを介し接続された開封履歴明示バンドとからなるキャップにおいて、
前記開封履歴明示バンドには、その上端から下端に至るスリットが設けられ、該スリットの近傍の前記開封履歴明示バンドの両上端に、それぞれ、前記ブリッジが設けられ、前記キャップ本体を廻して開栓するときに、容器口部に設けられ外方に盛り上がったロックリングにあたって、前記ブリッジが切断され、前記開封履歴明示バンドが前記キャップ本体からはずれるように、前記開封履歴明示バンドの内面には内方に突出したリブが一定間隔毎に設けられていることを特徴とするキャップである。
【００１２】
本発明のキャップは、以上のような構成であって、開封履歴明示バンドに、その上端から下端に至るスリットが設けられ、スリットの近傍の開封履歴明示バンドの両上端に、それぞれ、ブリッジが設けられ、キャップ本体を廻して開栓するときに、容器口部に設けられ外方に盛り上がったロックリングにあたって、ブリッジが切断され、開封履歴明示バンドがキャップ本体からはずれるように、前記開封履歴明示バンドの内面には内方に突出したリブが一定間隔毎に設けられているので、開封すると、ブリッジが切断され、容器口部に開封履歴明示バンドが残るが、スリットが設けられているので、開封履歴明示バンドが外に膨れ、開封されたことが容易に確認できる。
【００１３】
再封するときは、開封履歴明示バンドが容器側に残っているので、そのままキャップ本体を容器口部につけることができ、また、開封履歴明示バンドを外す場合は、スリットにより切れているので容易に外すことができる。
【００１４】
本発明の請求項２の発明は、前記リブの内方に突出する部分の幅が、前記スリットの近傍のリブに比べて、該スリットと対向する位置に向かって大きくなっていることを特徴とする請求項１に記載のキャップである。
【００１５】
本発明はさらに、リブの内方に突出する部分の幅が、スリットの近傍のリブに比べて、スリットと対向する位置に向かって大きくなっているので、開封するときに、スリットと対向する位置のリブにより、その位置のブリッジから切断され、最後にスリットの近傍のブリッジが切断されるので、スリットが開いて、開封履歴明示バンドが容器口部から外れることなく、容器側に残すことができる。
【発明の効果】
【００１６】
本発明のキャップは、開封すると、ブリッジが切断され、容器口部に開封履歴明示バンドが残るが、スリットが設けられているので、開封履歴明示バンドが外に膨れ、開封されたことが容易に確認でき、再封するときは、開封履歴明示バンドが容器側に残っているので、そのままキャップ本体を容器口部につけることができ、また、開封履歴明示バンドを外す場合は、スリットにより切れているので容易に外すことができる。
【００１７】
また、開封履歴明示バンドの内面に内方に突き出たリブが設けられ、リブの内方に突き出る幅が、前記スリットの近傍より、該スリットと対向する位置に向かって大きくなっていると、開封するときに、スリットと対向する位置のリブにより、その位置のブリッジから切断され、最後にスリットの近傍のブリッジが切断されるので、スリットが開いて、開封履歴明示バンドが容器口部から外れることなく、容器側に残すことができる。
【図面の簡単な説明】
【００１８】
【図１】本発明のキャップの一例の正面図である。
【図２】図１のＡ−Ａ断面図である。
【図３】本発明のキャップの一例を容器口部とともに示した部分断面図である。
【図４】（Ａ）本発明のキャップの一例が開封されるときの開封履歴明示バンドの状態を表す説明図である。（Ｂ）本発明のキャップの一例が開封されたときの開封履歴明示バンドの状態を表す説明図である。
【発明を実施するための形態】
【００１９】
以下本発明を実施するための形態につき説明する。
図１は、本発明のキャップの一例の正面図、図２は、図１のＡ−Ａ断面図、図３は、本発明のキャップの一例を容器口部とともに示した部分断面図である。
【００２０】
本発明のキャップ１００は、図１のように、キャップ本体１と、筒形状の開封履歴明示バンド２とから形成されている。キャップ本体１は、頂板部３と、頂板部３の周縁部から垂下しているスカート部４とから成っている。
【００２１】
そして、スカート部４の外面には、滑り止め用のローレット５が形成されており、手で廻して、キャップ本体１の閉栓方向及び開栓方向への旋回をスムーズに行えるようになっている。 
【００２２】
頂板部３の内面には、図３の部分断面図に示されているように、スカート部４とは間隔を置いて下方に延びているインナーリング６が形成されており、閉栓時の密封性を高めるようになっている。
【００２３】
また、スカート部４の内面には、螺条７が形成されており、この螺条７は、容器口部８の外面に形成されている螺条９と係合する。即ち、スカート部４の内面の螺条７と容器口部８の外面の螺条９とが螺子係合することにより、キャップ本体１は容器口部８に装着される。
【００２４】
筒形状の開封履歴明示バンド２は、その上端が、複数のブリッジ１０を介して、キャップ本体１のスカート部４の下端に接続されている。また、開封履歴明示バンド２には、上端から下端に至るスリット１１が一箇所設けられ、スリット１１の左右の近傍の開封履歴明示バンド２には、その上端に、それぞれ、ブリッジ１０ａが設けられている。
【００２５】
ブリッジ１０ａ以外のブリッジ１０ｂ、１０ｃ、１０ｄ、１０ｅは、図２の断面図のように、開封履歴明示バンド２の上端と、キャップ本体１のスカート部４の下端をバランスよく接続するように、円周上に例えば均等に設けられている。
【００２６】
このように、開封履歴明示バンド２が複数のブリッジ１０を介して、キャップ本体１に接続され、開封履歴明示バンド２にスリット１１が設けられているので、開栓して開封すると、ブリッジ１０が切断され、容器口部８に開封履歴明示バンド２が残される。
【００２７】
そして、スリット１１が設けられているので開栓の時、スリット１１の幅が広がり、開封履歴明示バンド２が外側に膨らみ、容易に開栓されていることが確認できる。さらには、キャップ本体２に開封履歴明示バンド２が接続していないので、再封するときにキャップ本体１を容器口部８につけることができる。
【００２８】
また、スリット１１の幅が広がるので、開封履歴明示バンド２が外側に膨らみ、容易に開栓されたことが確認できる。また、開封履歴明示バンド２を容器口部８から外すときにもスリット１１で切れているので、容易に外すことができる。
【００２９】
開封履歴明示バンド２の内面には内方に突き出たリブ１２が設けられている。そして、容器口部８には外方に盛り上がったロックリング１３が設けられていて、キャップ本体１を廻して開栓するときに、リブ１２がロックリング１３にあたって、ブリッジ１０が切断されて、開封履歴明示バンド２がキャップ本体１からはずれるように設けられている。
【００３０】
リブ１２は、内方に突き出る幅が同一ではなく、図２のように、スリット１１の近傍に設けられたリブ１２ａが、もっとも突き出る幅が小さく、スリット１１と対向する位置に向かってリブ１２ｂ、１２ｃ、１２ｄの内方に突き出る幅が徐々に大きくなっている。
【００３１】
図２を参照して、例えば、リブ１２ｂの内方に突き出る幅は、リブ１２ａのその幅より０．１ｍｍ大きく、リブ１２ｃの内方に突き出る幅は、リブ１２ｂのその幅よりさらに０．１ｍｍ大きく、リブ１２ｄの内方に突き出る幅は、リブ１２ｃのその幅よりさらに０．１ｍｍ大きく形成されている。
【００３２】
このようにすることによって、開栓（開封）するときに、まず、リブ１２ｄがロックリング１３に強く押されて、図２で、スリット１１から最も離れた２つのリブ１２ｄの間のブリッジ１０ｅが切断される。
【００３３】
そしてさらに、ブリッジ１０ｄ、ブリッジ１０ｃ、ブリッジ１０ｂの順で切断されていき、図４（Ａ）のように、ブリッジ１０ａのみが切断されない状態になり、最後にブリッジ１０ａが切断されて、図４（Ｂ）のように、すべてのブリッジ１０が切断され、キャップ本体１と開封履歴明示バンド２が分離される。
【００３４】
このように、ブリッジ１０ａ以外のブリッジ１０が先行して切断され、ブリッジ１０ａが最後に切断されるので、開封途中にスリット１１が開くなどして、開封履歴明示バンド２が容器口部８から外れることがない。
【００３５】
そして、開封履歴明示バンド２は容器口部８のロックリング１３の下方に付いたまま、キャップ本体１を容器口部から外して開栓することができる。
【００３６】
以上のように、本発明のキャップは、開封すると、容器口部に開封履歴明示バンドが残るが、開封履歴明示バンドが外に膨れて開封されたことが容易に確認でき、再封するときは、開封履歴明示バンドが容器側に残っているので、そのままキャップ本体を容器口部につけ再封することができ、また、開封履歴明示バンドを外す場合は、スリットにより切れているので容易に外すことができる。
【００３７】
本発明のキャップは、飲料用ペットボトルのキャップや容器本体が大口径（例えば３８ｍｍ径）の大型のペットボトルのキャップに好適に使用できる。また、ペット以外のプラスチックボトルや液体紙容器など、他の容器のキャップとしても、改ざん防止の必要があり、開封履歴明示バンドがキャップ本体につながったままにならず、容器口部に残る用途に使用できる。
【符号の説明】
【００３８】
１００・・・キャップ
１・・・キャップ本体
２・・・開封履歴明示バンド
３・・・頂板部
４・・・スカート部
５・・・ローレット
６・・・インナーリング
７・・・螺条
８・・・容器口部
９・・・螺条
１０（１０ａ、１０ｂ、１０ｃ、１０ｄ、１０ｅ）・・・ブリッジ
１１・・・スリット
１２（１２ａ、１２ｂ、１２ｃ、１２ｄ）・・・リブ
１３・・・ロックリング
【図１】
2013203465.tif 000003
【図２】
2013203465.tif 000004
【図３】
2013203465.tif 000005
【図４】
2013203465.tif 000006